(57)【特許請求の範囲】
【請求項１】
車椅子のシャシーフレームの前部に固定される車椅子用テーブルにおいて、
前記車椅子用テーブルは、上側に水平方向に延びるテーブル支持部を有し、このテーブル支持部の一方側端部から下側に垂直方向に延びる被支持部を備えてＬ字形に屈曲形成されるテーブルアームと、前記テーブルアームに固定されたテーブルと、シャシーフレーム前端部の左右方向一方側に固定され、上部に前記テーブルアームの被支持部の下端部を支持するアーム支持部が設けられた垂直方向に延びるパイプ状のテーブルホルダーとを備え、
前記テーブルアームの被支持部またはテーブルホルダーのアーム支持部が、一方を、垂直方向に延びるパイプ状の外周嵌合部に、他方を、垂直方向に延びるパイプ状又は棒状の内周嵌合部に形成され、
前記テーブルアームは、前記被支持部を前記テーブルホルダーのアーム支持部に差し込んで着脱可能かつ左右方向へ回動可能に嵌合支持されると共に、前記外周嵌合部と内周嵌合部に固定手段を設けて、高さおよび左右方向への回動位置を任意の位置に固定可能に形成したことを特徴とする車椅子用テーブル取付構造。
【請求項２】
前記車椅子は、シートバックを後下方に倒すことができるとともに、これに連動してアームレストやフットレストが移動するリクライニング機構を備え、
この車椅子のシャシーフレームの前部には、左右の前輪をそれぞれ方向変更自在に支持する垂直方向に延びるパイプ状に形成された左右のキャスターホルダーが固定され、
テーブルホルダーは、上部にはテーブルアームの被支持部を嵌合支持するアーム支持部が、また、下部にはパイプ状又は棒状の被支持部が設けられ、この被支持部が前記キャスターホルダーに差し込まれることによって前記シャシーフレームに支持されたことを特徴とする請求項１に記載の車椅子用テーブル取付構造。
【発明の詳細な説明】
【０００１】
【発明の属する技術分野】
本発明は、電動又は手動の車椅子のシャシーフレームに、テーブルを容易かつ確実に取り付ける車椅子用テーブル取付構造に関する。
【０００２】
【従来の技術】
車椅子にテーブルを取り付ける場合には、テーブルが、使用者の膝の上方に配置されるように、テーブルを、テーブルアーム等を介してアームレストに固定する構造が一般的である。また、車椅子のシートバックは、シャシーフレームに対して固定されているのが一般的であるが、シートバックを後下方に倒すことができるリクライニング機構を有するものもあり、この場合には、シートバックに連動して、アームレストやフットレストを移動させる機構が多い。
【０００３】
【発明が解決しようとする課題】
上述のように、シートバックに連動してアームレストが移動するリクライニング機構が備えられた車椅子の場合、テーブルをアームレストに取り付けると、アームレストの移動によりテーブルも移動し、シートバックを倒した場合に使用者の膝にテーブルが当たるなどの問題が生じる。また、テーブルアームを、アームレストではなくシャシーフレームに直に固定する場合には、シャシーフレームにボルト穴を開けたり、溶接するなど、大幅な改造が必要になるという問題がある。
【０００４】
本発明は、このような問題に鑑み、リクライニング機構を有する車椅子など、アームレストにテーブルを取り付けることができない車椅子であって、特に、前輪を方向変更自在に支持する縦向パイプ状のキャスターホルダーがシャシーフレームの前部に固定された車椅子に、テーブルを容易かつ確実に取り付けることができる車椅子用テーブル取付構造を提供することを目的とする。
【０００５】
【課題を解決するための手段】
請求項１に記載の発明は、車椅子のシャシーフレームの前部に固定される車椅子用テーブルにおいて、前記車椅子用テーブルは、上側に水平方向に延びるテーブル支持部を有し、このテーブル支持部の一方側端部から下側に垂直方向に延びる被支持部を備えてＬ字形に屈曲形成されるテーブルアームと、前記テーブルアームに固定されたテーブルと、シャシーフレーム前端部の左右方向一方側に固定され、上部に前記テーブルアームの被支持部の下端部を支持するアーム支持部が設けられた垂直方向に延びるパイプ状のテーブルホルダーとを備え、前記テーブルアームの被支持部またはテーブルホルダーのアーム支持部が、一方を、垂直方向に延びるパイプ状の外周嵌合部に、他方を、垂直方向に延びるパイプ状又は棒状の内周嵌合部に形成され、前記テーブルアームは、前記被支持部を前記テーブルホルダーのアーム支持部に差し込んで着脱可能かつ左右方向へ回動可能に嵌合支持されると共に、前記外周嵌合部と内周嵌合部に固定手段を設けて、高さおよび左右方向への回動位置を任意の位置に固定可能に形成したことを特徴とする車椅子用テーブル取付構造である。
【０００６】
請求項１に記載の発明によれば、リクライニング機構を有する車椅子など、アームレストにテーブルを取り付けることができない車椅子に、テーブルを確実に取り付けることができ、また、不要な場合には、テーブルアームとテーブルホルダーを分離させるようにして、テーブルを取り外すことができる。
【０００７】
また、請求項１に記載の発明においては、前記テーブルアームが、前記被支持部を前記テーブルホルダーのアーム支持部に差し込んで着脱可能かつ左右方向へ回動可能に嵌合支持されると共に、前記外周嵌合部と内周嵌合部に固定手段を設けて、高さおよび左右方向への回動位置を任意の位置に固定可能に形成した。
【０００８】
請求項１に記載の発明によれば、前記テーブルアームが、前記外周嵌合部と内周嵌合部に固定手段を設けて、高さおよび左右方向への回動位置を任意の位置に固定可能に形成したので容易に、テーブルの高さ及び位置を調整することができ、テーブルの着脱が容易であると共に、一旦取り外したテーブルを再び取り付ける場合に、テーブルを容易に元の高さ及び位置にセットすることができる。
【０００９】
また、請求項２に記載の発明は、請求項１に記載の車椅子用テーブル取付構造において、前記車椅子は、シートバックを後下方に倒すことができるとともに、これに連動してアームレストやフットレストが移動するリクライニング機構を備え、この車椅子のシャシーフレームの前部には、左右の前輪をそれぞれ方向変更自在に支持する垂直方向に延びるパイプ状に形成された左右のキャスターホルダーが固定され、テーブルホルダーは、上部にはテーブルアームの被支持部を嵌合支持するアーム支持部が、また、下部にはパイプ状又は棒状の被支持部が設けられ、この被支持部が前記キャスターホルダーに差し込まれることによって前記シャシーフレームに支持されたことを特徴とする。
【００１０】
請求項２に記載の発明によれば、前輪を支持するキャスターホルダーは十分な強度を有していることから、このキャスターホルダーを利用することによって、シャシーフレームを特に改造等することなく、テーブルホルダーをシャシーフレームに容易に固定することができる。
【００１１】
【発明の実施の形態】
以下、図面を参照して本発明の実施の形態を説明する。図１は、本発明の実施の形態に係る車椅子用テーブル取付構造が適用された電動車椅子の側面図であり、図２は、その正面図である。図３は、図１中のテーブル取付部分の分解斜視図であり、図４は、その組立断面図である。
【００１２】
図１、２に示すように、本発明に係る実施の形態が適用された電動車椅子には、左右対の前輪１、１、後輪２、２が支持されたシャシーフレーム３が備えられており、後輪２、２は、転動方向が固定され、トラクションモータ、ギヤケース等を有する駆動装置により回転駆動されるように構成され、前輪２、２は、転動方向が変更自在で回転自在に構成されている。
【００１３】
即ち、シャシーフレーム３の前部には、垂直方向に延びるパイプ状のキャスターホルダー４、４が溶接により固定されており、キャスターホルダー４に、キャスター５が方向変更自在に装着され、キャスター５の下端部に、前輪１が回転自在に装着されている。なお、キャスターホルダー４の上端は、後述のテーブルホルダー３０が差し込まれるように上向に開口している。
【００１４】
そして、シャシーフレーム３の上方には、使用者が座るシート９が固定されており、シート９の後上方には、使用者が背中を当てるシートバック１０が設けられ、前下方には、使用者が足を置くフットレスト１３、１３が設けられ、左右上方には、使用者が腕を置くアームレスト１７、１７が設けられている。また、シートバック１０の上端部には、使用者が頭を当てるヘッドレスト１０ａが固定されている。
【００１５】
そして、シートバック１０は、後下方へ傾倒可能に構成されており、シートバック１０を後下方へ倒すと、これに連動して、フットレスト１３、１３が上方へ持ち上がり、アームレスト１７、１７が後下方へ平行移動し、シートバック１０を元の位置に戻すと、フットレスト１３、１３、アームレスト１７、１７も元の位置に戻る機構になっている。
【００１６】
即ち、シートバック１０はシートバックフレーム１１の前面に固定されており、シートバックフレーム１１の下端部は、シャシーフレーム３の後端部に枢着部１１ａを介して回動自在に接続されている。そして、シートバックフレーム１１には、枢着部１１ａからシートバックフレーム１１の下端部に沿う方向に延在した操作アーム１２が固定されており、操作アーム１２には、ジョイスティックコントローラー２０により制御されるアクチュエータ２４が接続されている。従って、ジョイスティックコントローラー２０の操作により、シートバック１０を後下方へ倒し、前上方へ起こすことができる。なお、シートバックフレーム１１の背面には、介護者が手で掴むためのハンドル７、７が設けられている。
【００１７】
また、フットレスト１３は、フットレストサポート１４の下端部に固定されており、フットレストサポート１４の上端部は、シャシーフレーム３の前端部に枢着部１４ａを介して回動自在に接続されている。そして、フットレストサポート１４には、枢着部１４ａから突出した操作アーム１５が固定されており、フットレストサポート１４の操作アーム１５とシートバックフレーム１１の操作アーム１２には、連結ロッド１６が、その両端の枢着部１６ａ、１６ｂを介して回動自在に接続されている。従って、フットレスト１３、１３は、操作アーム１２、１５、連結ロッド１６を介して、シートバック１０の動きに連動して移動する。なお、左右のフットレストサポート１４、１４間には、使用者の脚部が当たるフットガード１３ａが装着されている。
【００１８】
そして、アームレスト１７は、枢着部１８ｂを介して屈曲自在に連結されたアームレストリンク１８、１９に支持されており、アームレストリンク１９の一端は、シャシーフレーム３の前部に枢着部１９ａを介して回動自在に接続され、アームレストリンク１８の他端は、シートバックフレーム１１の枢着部１１ａより上方の部分に枢着部１８ａを介して回動自在に接続されている。そして、シャシーフレーム３側に接続されたアームレストリンク１９は、伸縮可能に構成されており、アームレスト１７は、バックシート１０の動きに連動して、平行移動するように構成されている。なお、アームレストリンク１９には、ジョイスティックコントローラー２０を支持したコントローラーサポート２１が固定されている。
【００１９】
そして、シャシーフレーム３の前部のキャスターホルダー４には、テーブルホルダー３０が固定され、テーブルホルダー３０にテーブルアーム４０が固定され、テーブルアーム４０にテーブル５０が固定され、テーブル５０は、使用者の膝の上方に配置されるように構成されている。
【００２０】
即ち、図３、４に示すように、テーブルホルダー３０は、垂直方向に延びるパイプ状に形成されており、テーブルホルダー３０の下部には、比較的小径の被支持部３１が設けられ、上部には、比較的大径のアーム支持部３２（外周嵌合部）が設けられている。そして、クランク形の被固定部３３が、テーブルホルダー３０の中間部から外下向に突出して設けられており、被固定部３３の下端部には、ボルト３３ｂが挿通されるボルト穴３３ａが設けられている。
【００２１】
そして、テーブルホルダー３０は、被支持部３１をキャスターホルダー４に差し込み、被固定部３３の下端部をボルト穴３３ａ、３ａを介してボルト３３ｂ及びナット３３ｃによりシャシーフレーム３に締結することによって、シャシーフレーム３の前端部に固定されている。
【００２２】
そして、テーブルホルダー３０のアーム支持部３２の上端は、後述のテーブルアーム４０の被支持部４１が差し込まれるように上向に開口しており、アーム支持部３２の上端外周部には、コ字形のアーム固定部３４が外側に突出して固定されており、アーム固定部３４には、テーブル固定つまみ３５が締結されるように、ボルト穴３４ａが設けられ、ナット３４ｂが固定されている。そして、テーブル固定つまみ３５（固定手段）は、ナット３４ｂに螺合する先端のネジ部３５ａ、後述のストッパー４３の係合部４４を押圧する押え部３５ｂ、操作者が手で掴むつまみ部３５ｃとをもって構成されている。
【００２３】
テーブルアーム４０は、Ｌ字形に屈曲したパイプ状に形成されており、下側に垂直方向に延びる被支持部４１（内周嵌合部）が設けられ、上側に水平方向に延びるテーブル支持部４２が設けられている。そして、被支持部４１には、筒状のストッパー４３が、上下に摺動可能に装着されており、ストッパー４３は、被支持部４１の任意の位置に、任意の向きに、ボルト４３ａにより固定し得るようになっている。また、ストッパー４３には、外下方に突出したＬ字形の係合部４４が設けられており、係合部４４には、下向に開口した切欠４４ａがテーブル固定用つまみ３５のネジ部３５ａに係合するように設けられている。
【００２４】
そして、テーブルアーム４０は、被支持部４１をテーブルホルダー３０のアーム支持部３２に差し込まれ、ストッパー４３をテーブルホルダー３０の上端に当接させ、ストッパー４３の係合部４４の切欠４４ａをテーブル固定つまみ３５のネジ部３５ａに係合させ、テーブル固定つまみ３５の押え部３５ｂにより係合部４４を押圧されて、テーブルホルダー３０に支持、固定されている。
【００２５】
そして、テーブルアーム４０のテーブル支持部４２には、水平方向に延びる帯形板状のテーブル固定部４５、４５が固定されており、テーブル固定部４５には、木ネジ４５ｂ、４５ｂ…が挿通される穴４５ａ、４５ａ…が設けられており、テーブル固定部４５、４５の上側に、平板状のテーブル５０が、穴４５ａ、４５ａ…を介して木ネジ４５ｂ、４５ｂ…により固定されている。
【００２６】
このように、テーブル５０はアームレスト１７ではなくシャシーフレーム３に固定されているので、リクライニング機構によりシートバック１０に連動してアームレスト１７が移動してもテーブル５０は移動せず、テーブル５０を使用者の膝の上方の所定位置に保持することができる。また、前輪１を支持するキャスターホルダー４は十分な強度を有しており、このキャスターホルダー４にテーブル５０を支持するテーブルホルダー３０を固定しているので、シャシーフレーム３を特に改造等することなく、テーブル５０をシャシーフレーム３に容易に固定することができる。
【００２７】
また、テーブル５０は、テーブルアーム４０とテーブルホルダー３０とを介して支持されており、テーブルアーム４０とテーブルホルダー３０とは分離可能であるので、テーブル固定つまみ３５によりテーブル５０を容易に着脱することができる。即ち、テーブル５０を取り外す際には、テーブル固定つまみ３５を緩めてテーブルアーム４０をテーブルホルダー３０から引き抜き、テーブル５０を取り付ける際には、テーブルアーム４０をテーブルホルダー３０に差し込んだ後、テーブル固定つまみ３５を締め付ける。
【００２８】
また、テーブルアーム４０に装着されたストッパー４３の高さ、向きを変更するだけで容易に、テーブル５０の高さ、位置を調整することができ、また、一旦取り外したテーブル５０を再び取り付ける場合に、テーブル５０を容易に元の高さ及び位置にセットすることができる。なお、ストッパー４３による調整は、ボルト４３ａを緩めて、ストッパー４３の高さ、向きを変更した後、ボルト４３ａを締め付けるようにして行う。
【００２９】
以上、本発明の実施の形態について述べたが、本発明は上述の実施の形態に限定されないことはもちろんである。例えば、上述の実施の形態では、テーブルホルダーの上端部（外周嵌合部）にテーブルアームの下端部（内周嵌合部）を差し込んで、テーブルアームをテーブルホルダーに支持させる場合について述べたが、テーブルホルダーの上端部（内周嵌合部）をテーブルアームの下端部（外周嵌合部）に差し込むようにしてもよい。
【００３０】
【発明の効果】
以上のように、請求項１に記載の発明によれば、リクライニング機構を有する車椅子など、アームレストにテーブルを取り付けることができない車椅子に、テーブルを確実に取り付けることができ、また、不要な場合には、テーブルアームとテーブルホルダーを分離させるようにして、テーブルを取り外すことができる。
【００３１】
また、請求項１に記載の発明によれば、容易に、テーブルの高さ及び位置を調整することができ、テーブルの着脱が容易であると共に、一旦取り外したテーブルを再び取り付ける場合に、テーブルを容易に元の高さ及び位置にセットすることができる。
【００３２】
また、請求項２に記載の発明によれば、前輪を支持するキャスターホルダーは十分な強度を有していることから、このキャスターホルダーを利用することによって、シャシーフレームを特に改造等することなく、テーブルホルダーをシャシーフレームに容易に固定することができる。
【図面の簡単な説明】
【図１】本発明の実施の形態に係る車椅子用テーブル取付構造が適用された電動車椅子の側面図である。
【図２】図１の電動車椅子の正面図である。
【図３】図１中のテーブル取付部分の分解斜視図である。
【図４】図３のテーブル取付部分の組立断面図である。
【符号の説明】
１  前輪
２  後輪
３  シャシーフレーム
３ａ  ボルト穴
４  キャスターホルダー
５  キャスター
７  ハンドル
９  シート
１０  シートバック
１０ａ  ヘッドレスト
１１  シートバックフレーム
１１ａ  枢着部
１２  操作アーム
１３  フットレスト
１３ａ  フットガード
１４  フットレストサポート
１４ａ  枢着部
１５  操作アーム
１６  連結ロッド
１６ａ、１６ｂ  枢着部
１７  アームレスト
１８  アームレストリンク
１８ａ、１８ｂ  枢着部
１９  アームレストリンク
１９ａ  枢着部
２０  ジョイスティックコントローラー
２１  コントローラーサポート
２４  アクチュエーター
３０  テーブルホルダー
３１  被支持部
３２  アーム支持部
３３  被固定部
３３ａ  ボルト穴
３３ｂ  ボルト
３３ｃ  ナット
３４  アーム固定部
３４ａ  ボルト穴
３４ｂ  ナット
３５  テーブル固定つまみ（固定手段）
３５ａ  ネジ部
３５ｂ  押え部
３５ｃ  つまみ部
４０  テーブルアーム
４１  被支持部
４２  テーブル支持部
４３  ストッパー
４３ａ  ボルト
４４  係合部
４４ａ  係合用切欠
４５  テーブル固定部
４５ａ  穴
４５ｂ  木ネジ
５０  テーブル
【図１】
0003728933.tif 000002
【図２】
0003728933.tif 000003
【図３】
0003728933.tif 000004
【図４】
0003728933.tif 000005